(57)【要約】【課題】メール送信結果を確認し忘れている場合や、送信結果通知音の鳴動を聞き逃した場合でも、ユーザが送信失敗に気付き再送信が必要なことを認識可能にする手段を提供する。【解決手段】ユーザがメール作成・メール送信した場合（Ｓ２０１）、表示部に「メール送信中」を表示し（Ｓ２０２）、送信処理が完了した時にメール送信結果を確認する（Ｓ２０３）。ここで、メール送信が成功した場合「メール送信しました」を表示し（Ｓ２０５）、メール送信に失敗した場合「メール送信できませんでした」を表示する（Ｓ２０４）。このＳ２０４のタイミングから、ユーザによる送信失敗メールの再送信（Ｓ２０８）、もしくは、送信失敗通知音のＮ回鳴動（Ｓ２０７）まで、送信失敗通知音を指定間隔で鳴動する（Ｓ２０６）。【選択図】図２
2007310839.tif 000002
【特許請求の範囲】
【請求項１】
メール機能を備える携帯通信端末におけるメール送信失敗時の報知方法であって、メール送信の失敗結果を表示するとともに、前記メールの送信失敗をユーザに知らせるための報知音を予め設定した間隔でかつ予め設定した回数だけ発生し、前記メール送信の失敗結果を表示するタイミングからの前記報知音の発生回数が前記予め設定した回数に達したとき前記報知音の発生を停止することを特徴とするメール送信失敗時の報知方法。
【請求項２】
前記送信の失敗結果を表示するタイミングからの前記報知音の発生回数が前記予め設定した回数に達したとき、前記送信失敗メールを、該送信失敗したメールの宛て先に自動で再送信することを特徴とする請求項１に記載のメール送信失敗時の報知方法。
【請求項３】
前記送信の失敗結果を表示するタイミングからの前記報知音の発生回数が前記予め設定した回数に達したとき、前記送信に失敗したメールを自動送信用の宛て先として予め登録されている宛て先へ自動送信することを特徴とする請求項１に記載のメール送信失敗時の報知方法。
【請求項４】
前記送信の失敗結果を表示するタイミングから前記報知音の発生回数が前記予め設定した回数に達したとき、自動送信用の宛て先の登録有無を確認し、自動送信用の宛て先が登録されているときには、前記送信に失敗したメールを前記登録されている宛て先へ自動送信し、前記自動送信用の宛て先が登録されていないときには、前記送信失敗メールを、該送信失敗したメールの宛て先に自動で再送信することを特徴とする請求項１に記載のメール送信失敗時の報知方法。
【請求項５】
前記メール送信の失敗結果を表示するタイミングからの前記報知音の発生回数が前記予め設定した回数に達する前にユーザによる前記送信失敗メールの再送信操作が検知されたとき、前記報知音の発生を停止することを特徴とする請求項１〜４のいずれか１項に記載のメール送信失敗時の報知方法。
【請求項６】
メール送信手段と、前記メール送信手段によるメール送信に失敗したとき失敗結果を表示部に表示する送信失敗結果表示手段と、該送信失敗結果表示手段による前記メール送信失敗結果表示のタイミングから、前記メールの送信失敗を知らせる通知音を予め設定した間隔で報知する送信失敗通知音発生手段と、前記送信失敗通知音発生手段による前記メールの送信失敗を知らせる通知音の報知回数をカウントするカウンタと、該カウンタによるカウント値が予め設定した回数に達するまで前記メールの送信失敗を知らせる通知音の発生を繰り返す送信失敗通知音繰り返し手段と、前記カウンタによるカウント値が前記予め設定した回数に達したとき前記送信失敗通知音発生手段による前記通知音の発生を停止する送信失敗通知音停止手段を備えていることを特徴とするメール機能付き携帯通信端末。
【請求項７】
前記カウンタによるカウント値が前記予め設定した回数に達したとき、前記送信失敗メールを、該送信に失敗したメールの宛て先に自動再送信する送信失敗メール自動再送信手段を備えていることを特徴とする請求項６に記載のメール機能付き携帯通信端末。
【請求項８】
前記送信に失敗したメールを自動送信するための宛て先を予め登録する自動送信宛て先登録手段と、前記カウンタによるカウント値が前記予め設定した回数に達したとき前記送信に失敗したメールを前記自動送信宛て先登録手段に登録されている宛て先へ自動送信する送信失敗メール自動送信手段を備えていることを特徴とする請求項６に記載のメール機能付き携帯通信端末。
【請求項９】
前記送信に失敗したメールを自動送信するための宛て先を予め登録する自動送信宛て先登録手段と、該自動送信宛て先登録手段に自動送信用の宛て先が登録されているか否かを判定する宛て先登録有無確認手段と、前記カウンタによるカウント値が前記予め設定した回数に達したとき前記宛て先登録有無確認手段を参照して、前記自動送信用の宛て先が登録されているときには前記送信に失敗したメールを前記登録されている宛て先へ自動送信し、前記自動送信用の宛て先が登録されていないときには前記送信失敗メールを、該送信に失敗したメールの宛て先に自動で再送信する送信失敗メール自動送信手段を備えていることを特徴とする請求項６に記載のメール機能付き携帯通信端末。
【請求項１０】
前記送信失敗通知音停止手段は、前記カウンタによるカウント値が前記予め設定した回数に達する前にユーザによる前記送信失敗メールの再送信操作を検知したとき、前記送信失敗通知音発生手段による前記メールの送信失敗を知らせる通知音の発生を停止する機能を備えていることを特徴とする請求項６〜９のいずれか１項に記載のメール機能付き携帯通信端末。
【発明の詳細な説明】
【技術分野】
【０００１】
本発明は、メール機能付き携帯電話機等の携帯通信端末におけるメール送信結果を利用者に通知する技術に関する。
【背景技術】
【０００２】
通常、携帯電話機におけるメール送信では、ユーザがメールを作成して送信先への送信操作を行った後、ネットワーク側から受けたメール送信時のメール送信結果（「送信しました」や「送信できませんでした」等）が画面上に表示され、ユーザは、この送信結果表示により送信成功か失敗を確認している。一方、電波環境によりメール送信時間に差が生じる場合があり、電波環境が良いところでは数秒でメール送信が完了する場合でも、電波環境が悪いところでは、再送処理等が発生し数分かかってしまう場合がある。
【０００３】
そのため、電波環境の良い場合は、メール送信開始から数秒でメール送信結果表示となるため、ユーザはメール送信操作の中で送信結果を確認することできるが、電波環境の悪い場合は、メール送信開始から数分となるため、ユーザはメール送信操作の中で送信結果を確認できず、メール送信操作をしてしばらくした後にメール送信結果を確認することになる。そのため、ユーザがメール送信結果の確認を忘れ、かつ、送信が失敗していた場合、送信したいメールが送信できないという課題がある。
【０００４】
このような問題の解消手段として、特許文献１では、送信開始後、電波が弱い等の事情による接続不可のために送信失敗の状態になった場合に、メール送信失敗時に報知する「メロディ」又は「音声」をスピーカより数秒間鳴動させることにより、ユーザに「送信失敗」の状態を報知する技術が提案されている。
【０００５】
【特許文献１】特開２００４−３１８４３５号公報
【発明の開示】
【発明が解決しようとする課題】
【０００６】
特許文献１に記載の技術によれば、メールの送信操作後に、ユーザは液晶表示部に表示されるメッセージを送信完了まで見続けなくても、「送信失敗」の状態を簡易に認識でき確認のための煩わしい時間を無くすことが可能となり、また、携帯電話機から離れていても音が聞こえる距離であればメール操作後のメール送信結果を認識することができるが、電波環境が悪くて再送処理等が発生し送信完了まで数分かかってしまうような場合に別の作業等に集中していたり、あるいは送信失敗のメロディ又は音声が聞こえる距離以上携帯電話機から離れていた場合には、ユーザがメール送信結果の確認を忘れて送信したつもりのメールが送信されていなかったという状況が生ずることがある。
【０００７】
本発明の目的は、上記問題点に鑑み、メール送信結果を確認し忘れている場合や、送信結果通知音の鳴動を聞き逃した場合でも、ユーザが送信失敗に気付き再送信が必要なことを認識可能にする手段を提供することにある。
【課題を解決するための手段】
【０００８】
本発明は、メール機能を有する携帯電話機等の携帯通信端末におけるメール送信失敗時の報知方法として、メール送信を失敗した際の「送信できませんでした」等の送信失敗結果を表示するタイミングから、ユーザによる送信失敗メールの再送信、もしくは、送信失敗通知音を予め設定した所定回数（Ｎ回）になるまで、前記送信失敗通知音を予め設定した間隔でユーザに報知することによりユーザに前記メール送信が失敗したことを知らせることを特徴とする。
【０００９】
これにより、メール送信結果を確認し忘れている場合や、送信結果通知音の初回鳴動を聞き逃した場合であっても、ユーザが送信失敗に気付き再送信が必要なことを認識できる。
【００１０】
また、前記送信失敗通知音を予め設定した所定回数（Ｎ回）報知しても、ユーザによる送信失敗メールの再送信が行われない場合は、ユーザが携帯無線通信端末から離れていることが考えられ、それ以上送信失敗通知音の報知を繰り返しても、二次電池で動作している携帯無線通信端末の電力を無駄に消費するだけとなり、利用可能時間を不必要に短縮してしまう懼れがあるので、通知音発生回数は予め設定した一定回数に制限し、一定回数に達したら前記メールの送信失敗を知らせる通知音の報知を停止する。
【００１１】
具体的には、本発明のメール機能を備える携帯通信端末におけるメール送信失敗時の報知方法は、メール送信の失敗結果を表示部に表示するとともに、前記メールの送信失敗をユーザに知らせるための報知音を予め設定した間隔でかつ予め設定した回数だけ発生し、前記メール送信の失敗結果を表示するタイミングからの前記報知音の発生回数が前記予め設定した回数に達したとき前記報知音の発生を停止することを特徴としている。
【００１２】
その際、前記送信の失敗結果を表示するタイミングからの前記報知音の発生回数が前記予め設定した回数に達したとき、前記送信失敗メールを、該送信失敗したメールの宛て先に自動で再送信するように設定することができる。この再送信により送信失敗メールを減らすことができる。
【００１３】
または、前記送信の失敗結果を表示するタイミングからの前記報知音の発生回数が前記予め設定した回数に達したとき、前記送信に失敗したメールを自動送信用の宛て先として予め登録されている宛て先（自分のパソコンあるいは会社で使用しているパソコンのメールアドレス等）へ自動送信するように設定することができる。この場合、自動送信用の宛て先として予め登録されている宛て先に自分が送信したメールが着信していれば、メール送信が失敗した状態で終了したことが確認できるので、ユーザは送信失敗メールの再送信を実行することが可能となる。
【００１４】
または、前記送信の失敗結果を表示するタイミングから前記報知音の発生回数が前記予め設定した回数に達したとき、自動送信用の宛て先の登録有無を確認し、自動送信用の宛て先が登録されているときには、前記送信に失敗したメールを前記登録されている宛て先へ自動送信し、前記自動送信用の宛て先が登録されていないときには、前記送信失敗メールを、該送信失敗したメールの宛て先に自動で再送信するように設定することができる。
【００１５】
また、前記メール送信の失敗結果を表示するタイミングからの前記報知音の発生回数が前記予め設定した回数に達する前にユーザによる前記送信失敗メールの再送信操作が検知されたときには、前記報知音の発生を停止することを特徴としている。
【００１６】
また本発明のメール機能付き携帯通信端末は、メール送信手段と、前記メール送信手段によるメール送信に失敗したとき失敗結果を表示部に表示する送信失敗結果表示手段と、該送信失敗結果表示手段による前記メール送信失敗結果表示のタイミングから、前記メールの送信失敗を知らせる通知音を予め設定した間隔で報知する送信失敗通知音発生手段と、前記送信失敗通知音発生手段による前記メールの送信失敗を知らせる通知音の報知回数をカウントするカウンタと、該カウンタによるカウント値が予め設定した回数に達するまで前記メールの送信失敗を知らせる通知音の発生を繰り返す送信失敗通知音繰り返し手段と、前記カウンタによるカウント値が前記予め設定した回数に達したとき前記送信失敗通知音発生手段による前記通知音の発生を停止する送信失敗通知音停止手段を備えていることを特徴としている。
【００１７】
また本発明では、前記カウンタによるカウント値が前記予め設定した回数に達したとき、前記送信失敗メールを、該送信失敗したメールの宛て先に自動再送信する送信失敗メール自動再送信手段を付加することができる。
【００１８】
または、前記送信に失敗したメールを自動送信するための宛て先を予め登録する自動送信宛て先登録手段と、前記カウンタによるカウント値が前記予め設定した回数に達したとき前記自動送信宛て先登録手段に登録されている宛て先へ自動送信する送信失敗メール自動送信手段を付加することができる。
【００１９】
または、前記送信に失敗したメールを自動送信するための宛て先を予め登録する自動送信宛て先登録手段と、該自動送信宛て先登録手段に自動送信用の宛て先が登録されているか否かを判定する宛て先登録有無確認手段と、前記カウンタによるカウント値が前記予め設定した回数に達したとき前記宛て先登録有無確認手段を参照して、前記自動送信用の宛て先が登録されているときには前記送信に失敗したメールを前記登録されている宛て先へ自動送信し、前記自動送信用の宛て先が登録されていないときには前記送信失敗メールを、該送信失敗したメールの宛て先に自動で再送信する送信失敗メール自動送信手段を付加することができる。
【００２０】
また、前記送信失敗通知音停止手段は、前記カウンタによるカウント値が前記予め設定した回数に達する前にユーザによる前記送信失敗メールの再送信操作を検知したとき、前記送信失敗通知音発生手段による前記メールの送信失敗を知らせる通知音の発生を停止する機能を備えていることを特徴としている。
【発明の効果】
【００２１】
本発明は、メール送信を失敗した場合、「送信できませんでした」等の送信失敗結果を表示するタイミングから、ユーザによる送信失敗メールの再送信、もしくは、送信失敗通知音のＮ回鳴動まで、送信失敗通知音を指定間隔で鳴動するので、メール送信結果を確認し忘れている場合や、送信結果通知音の初回鳴動を聞き逃がした場合でも、送信失敗に気付き再送信が必要なことをユーザが認識できる効果がある。
【００２２】
また、送信失敗通知音の鳴動回数を予め設定した回数（Ｎ回）の範囲に抑えているので、無駄な電力消費を最小限に抑えて、送信失敗通知を効率的にユーザに報知することができる。
【００２３】
またその際、メール送信の失敗結果を表示するタイミングからの前記報知音の発生回数が予め設定した回数（Ｎ回）に達したとき、前記送信失敗メールを、該送信失敗したメールの宛て先に自動で再送信するように設定することにより、送信失敗メールを減らすことが可能となる。
【００２４】
また、前記メール送信の失敗結果を表示するタイミングからの前記報知音の発生回数が予め設定した回数（Ｎ回）に達したとき、前記送信に失敗したメールを自動送信用の宛て先として予め登録されている宛て先（自分のパソコンあるいは会社で使用しているパソコンのメールアドレス等）へ自動送信するように設定することにより、メール送信が失敗した状態で終了したことを後で確認することができ、ユーザは送信失敗メールをパソコンで確認して再送信を実行することが可能となる。
【発明を実施するための最良の形態】
【００２５】
図１は、本発明が適用されるメール機能付き携帯電話機の実施形態を示すブロック図である。
【００２６】
携帯電話機は、基地局との間で無線通信を行うためのアンテナ１０１および無線部１０２と、制御部１０３と、音声処理部１０６と、レシーバ１０７、マイク１０８、およびスピーカ１０９と、表示部１１０と、操作部１１１を、主な構成要素として備えている。制御部１０３は、ＣＰＵ１０４とメモリ１０５、およびタイマ回路等を備えており、各ブロックを制御することによりこの携帯電話機の機能制御を行う制御回路である。メモリ１０５は、ＲＯＭ，ＲＡＭ等からなり、ＣＰＵ１０４による制御のためのプログラム、および利用者により設定された各種設定値等を格納するとともに、ＣＰＵ１０４による制御の際に使用される一時記憶領域を備えている。
【００２７】
通話の際には、制御部１０３の制御により無線部１０２、およびアンテナ１０１を介して基地局との間で通信が行われる。無線部１０２は、アンテナ１０１にて受信した信号から、受信したい信号周波数を選択し、周波数変換を行い、増幅し、復調して、受信データを制御部１０３に出力する。制御部１０３は、受信データを処理して音声信号を音声処理部１０６に出力し、音声処理部１０６は、音声信号をアナログ信号に変えてレシーバ１０７より音声を出力する。また、マイク１０８より入力された音声は、音声処理部１０６にて、デジタル信号に変換され、制御部１０３は、その信号を送信データに変換し、無線部１０２にて変調して、規定の周波数の搬送波として増幅し、アンテナ１０１より送信を行う。
【００２８】
またメールを送信する場合、制御部１０３は、ユーザが操作部１１１を操作して作成したメールを送信データに変換し、無線部１０２にて変調して、規定の周波数の搬送波として増幅し、アンテナ１０１を介して送信する。そのため、制御部１０３は、操作部１１１を監視し、利用者の操作を判断し操作に基づく処理を行う。表示部１１０は、制御部１０３の制御により各種表示を行う。さらに、制御部１０３は、音声処理部１０６とスピーカ１０９を制御し、スピーカ１０９より通知音など各種の音を鳴動する。
【００２９】
図２は、本発明の実施形態の概要を示すメール送信時のフローチャートである。
【００３０】
本実施形態では、メール機能を有する携帯電話機において、メール送信を失敗した場合に、「送信できませんでした」等の送信失敗結果を表示するタイミングから、以下のいずれかの条件を満たすまで、送信失敗通知音を指定間隔で鳴動する、
送信失敗したメールをユーザが再送信したとき、
送信失敗通知音を指定回数（Ｎ回）鳴動したとき。
【００３１】
即ち図２において、ユーザがメール作成・メール送信した場合（Ｓ２０１）、表示部に「メール送信中」を表示し（Ｓ２０２）、送信処理が完了した時にメール送信結果を確認する（Ｓ２０３）。ここで、メール送信が成功した場合「メール送信しました」を表示し（Ｓ２０５）、メール送信に失敗した場合「メール送信できませんでした」を表示する（Ｓ２０４）。本実施形態では、このＳ２０４のタイミングから、ユーザによる送信失敗メールの再送信（Ｓ２０８）、もしくは、送信失敗通知音のＮ回鳴動（Ｓ２０７）まで、送信失敗通知音を指定間隔で鳴動する（Ｓ２０６）。
【００３２】
図３は、本実施形態のより詳細な実施例を示すフローチャートである。以下、図１〜図３を参照して本実施形態の動作について説明する。
【００３３】
ユーザがメール作成し（Ｓ３０１）、メール送信した場合（Ｓ３０２）、メール送信処理完了するまで（Ｓ３０４）、制御部１０３がＬＣＤ表示部１１０に「メール送信中」を表示する（Ｓ３０３）。メール送信処理完了後、メール送信に成功した場合（Ｓ３０５．ＹＥＳ）は、制御部１０３がＬＣＤ表示部１１０に「メール送信しました」を表示（Ｓ３０６）して処理を終了する。
【００３４】
メール送信に失敗した場合（Ｓ３０５．ＮＯ）は、制御部１０３がＬＣＤ表示部１１０に「メール送信できませんでした」を表示（Ｓ３０７）して、本実施形態によるメール送信結果通知機能を実行する。メール送信結果通知機能は、ユーザのメニュー操作によりＯＮ／ＯＦＦ設定するものとし、ＯＦＦの場合はメール送信結果通知機能を実行せずに処理を終了する。
【００３５】
メール送信に失敗し（Ｓ３０５．ＮＯ）、メール送信結果通知機能ＯＮを設定していた場合（Ｓ３０８，ＹＥＳ）、制御部１０３は送信失敗通知音をスピーカ１０９から鳴動し（Ｓ３１２）、指定時間経過後、鳴動停止する（Ｓ３１３）。この指定時間は数秒程度（２〜３秒程度）に設定される。なお、この指定時間の鳴動の代わりにスピーカ１０９から合成音声等により１回「メール送信できませんでした」と報知させる手段を採用することもできる。
【００３６】
その後、制御部１０３は、タイマを起動して予め設定した時間の計測を開始し（Ｓ３１４）、この設定時間内に、ユーザによる送信失敗メールの再送信操作の有無を監視する（Ｓ３１５）。このタイマによる計測時間は５分程度に設定される。その間に、ユーザがメール送信の失敗を確認できなくて再送信操作されずにタイマが満了した場合（Ｓ３１６．ＹＥＳ）、制御部１０３は送信失敗通知音の鳴動回数を確認する（Ｓ３１０）。Ｎ回未満であれば、鳴動回数をカウントアップし（Ｓ３１１）、再度送信失敗通知音を鳴動する（Ｓ３１２）。以降、以下のいずれかの条件を満たすまで送信失敗通知音の鳴動処理を繰り返す、
送信失敗したメールをユーザが再送信したとき（Ｓ３１５．ＹＥＳ）、
送信失敗通知音鳴動回数をカウントし（Ｓ３０９、Ｓ３１１）、カウント値ｉがＮとなったとき（Ｓ３１０．ＮＯ）。
【００３７】
Ｓ３１５でユーザが送信失敗したメールを再送信した場合（Ｓ３１５．ＹＥＳ）には、制御部１０３はタイマを停止し（Ｓ３１７）、Ｓ３０２に戻って再度メール送信処理を行う。一方、ユーザによる送信失敗メールの再送信操作が行われずに、送信失敗通知音鳴動回数のカウント値ｉがＮとなったとき（Ｓ３１０．ＮＯ）にはこのメール送信結果通知機能を終了し、メール送信処理を未送信のまま終了する。
【００３８】
送信失敗通知音鳴動回数（Ｎ）の値は、ユーザが任意に設定可能であるが、例えば、メール送信の失敗を表示してから１時間以上ユーザによる再送信操作が行われないようなときには、それ以上送信失敗通知音を繰り返しても無駄であると考えられるので、電力消費等との兼ね合いから、Ｎの値としては１０回程度に設定するのが好適である。もちろんそれ以下あるいはそれ以上に設定することもできる。
【００３９】
図４は、本発明の他の実施形態を示すフローチャートである。
【００４０】
上記図２〜図３に示す実施形態では、ユーザが送信失敗したメールを再送信しない限り、送信失敗通知音を指定間隔でＮ回鳴動した時点で未送信のまま処理が終了するが、本実施形態では、送信失敗通知音をＮ回鳴動した後、送信失敗したメールを自動で再送信する機能を付加している。また、自動再送信用の宛て先を事前登録した場合には、登録した宛て先に送信失敗したメールを送信する機能を付加している。
【００４１】
即ち本実施形態では、送信失敗通知音をＮ回鳴動した後、
自動再送信用の宛て先を登録済みの場合には、登録した宛て先に送信失敗したメールを自動送信する、
自動再送信用の宛て先を登録していない場合には、送信失敗したメールの宛て先のまま、自動再送信を実行する。
【００４２】
次に、本実施形態の動作について、図４のフローチャートを参照して説明する。なお、図４のフローチャートにおいてＳ４０１からＳ４１７までは、図３のフローチャートのＳ３０１からＳ３１７までと同一であるので、この部分の詳細な説明は省略する。
【００４３】
本実施形態においても、メール送信に失敗した場合（Ｓ４０５．ＮＯ）は制御部１０３がＬＣＤ表示部１１０に「メール送信できませんでした」を表示（Ｓ４０７）し、メール送信結果通知機能ＯＮを設定していた場合（Ｓ３０８，ＹＥＳ）には、本実施形態によるメール送信結果通知機能が実行される。
【００４４】
本実施形態では、ユーザによる送信失敗メールの再送信操作が行われずに、Ｓ４１１にて送信失敗通知音鳴動回数のカウント値ｉがカウントアップされ、その値がＮとなった（Ｓ４１０．ＮＯ）ときには、自動送信用の宛て先の登録有無を確認する（Ｓ４１８）。宛て先が登録済みの場合（Ｓ４１８．ＹＥＳ）には、登録されている指定の宛て先に送信失敗メールを自動送信（Ｓ４１９）して、処理を終了する。
【００４５】
自動送信用の宛て先としては、例えば自宅あるいは勤務会社で使用しているパソコン等のメールアドレスを登録しておく。従って、自宅あるいは勤務会社で使用しているパソコンに自分の携帯通信端末からのメールが着信している場合には、メール送信が失敗して終了したことが確認できる。
【００４６】
一方、宛て先が未登録の場合（Ｓ４１８．ＮＯ）には、Ｓ４０２に戻って、送信失敗したメールの宛て先に、送信失敗メールを自動で再送信する。この場合、再送信してもメール送信に失敗するような状況では、それ以上再送信を繰り返しても失敗する可能性が高いので、自動再送信回数は、消費電力を抑制する観点から数回（１回あるいは２回程度）に抑えることが好ましい。そこで、Ｓ４１８でＮＯの場合に、自動再送信回数をカウントする第２のカウンタを設け、そのカウント値が例えば２に達している場合には、メール送信処理を終了するように設定してもよい。
【図面の簡単な説明】
【００４７】
【図１】本発明が適用されるメール機能付き携帯電話機の実施形態を示すブロック図である。
【図２】本発明の実施形態の概要を示すメール送信時のフローチャートである。
【図３】本実施形態のより詳細な実施例を示すフローチャートである。
【図４】本発明の他の実施形態を示すフローチャートである。
【符号の説明】
【００４８】
１０１  アンテナ
１０２  無線部
１０３  制御部
１０４  ＣＰＵ
１０５  メモリ
１０６  音声処理部
１０７  レシーバ
１０８  マイク
１０９  スピーカ
１１０  ＬＣＤ表示部
１１１  操作部
【図１】
2007310839.tif 000003
【図２】
2007310839.tif 000004
【図３】
2007310839.tif 000005
【図４】
2007310839.tif 000006